(57)【特許請求の範囲】
【請求項１】
通話の着信を応答処理が行われるまで報知する第１の報知手段と、リアルタイムで内容を知ることができるメツセ−ジの着信を応答処理が行われるまで報知する第２の報知手段と、前記通話の着信に対する応答処理の操作と前記メツセ−ジの着信に対する応答処理の操作を同一の操作で行う操作部と、前記通話の着信の報知と前記メツセ−ジの着信の報知とが同時に生じたときに、前記操作が行われると前記通話の着信に対する着信処理を行い前記メツセ−ジの着信処理は行わない制御手段を備えたことを特徴とする電話装置。
【発明の詳細な説明】
【０００１】
【発明の属する技術分野】
本発明は、複種類の処理要求に対して同一の操作を行う電話装置に関する。
【０００２】
【従来の技術】
文字メッセージを受信し、これを記憶させてリアルタイムで受信した内容を見ることができる機能を付加した電話装置が市販されている。また、音声メッセージのように、電話装置に記憶させなくても、電話局に記憶させることによりリアルタイムで内容を知らせることができる。そして、使用者がメッセージの着信に気づかないでいることを防止するために、着信の確認操作を要求する電話装置が市販されている。
【０００３】
一方、電話装置の便利な機能として、クイック通話がある（特開平９−２６１３０８号公報参照）。この機能を使用すれば、通話の着信時に受話部を持ち上げたり、ヒンジ付きの電話装置を開くだけでオフフックさせて通話を行うことができる。
【０００４】
そして、このクイック通話をメッセージの着信確認に適用させ、メッセージの着信時に受話部を持ち上げたり、ヒンジ付きの電話装置を開くだけでメッセージの確認処理を行う電話装置が考えられた。
【０００５】
【発明が解決しようとする課題】
しかしながら、従来は、通話の着信中とメッセージの着信中が同時に生じたときは、通話の着信処理とメッセージの着信処理の両方を行っていた為に、使用者がメッセージの着信の確認を逃す恐れがあった。
【０００６】
このように、多機能化する電話装置に於いては、複種類の処理要求に対して、同一の操作を行うことがあり、複種類の処理要求が同時に発生した場合に、一度の操作で複数の処理を行うと、使用者は一つの処理しか行われなかったものと勘違いする場合がある。
【０００７】
【課題を解決するための手段】
本発明の電話装置はかかる点に鑑みてなされたもので、通話の着信を応答処理が行われるまで報知する第１の報知手段と、リアルタイムで内容を知ることができるメツセ−ジの着信を応答処理が行われるまで報知する第２の報知手段と、前記通話の着信に対する応答処理の操作と前記メツセ−ジの着信に対する応答処理の操作を同一の操作で行う操作部と、前記通話の着信の報知と前記メツセ−ジの着信の報知とが同時に生じたときに、前記操作が行われると前記通話の着信に対する着信処理を行い前記メツセ−ジの着信処理は行わない制御手段を備えたことを特徴とする。
【０００９】
【発明の実施の形態】
本発明の第１の実施例を図面に基づき説明する。図１は実施例の要部の構成を示すブロック図である。本実施例の電話装置は、同じ周波数のキャリアを同一セルで複数利用するＣＤＭＡ方式の携帯電話機であり、車両用として使用することもできる。また、文字メッセージと音声メッセージを受信することもできる。
【００１０】
（１）は通信部であり、後述のベースバンド部（３）からの通話や文字メッセージ等の信号をアンテナ（２）を介して基地局へ発信したり、アンテナ（２）を介して基地局からの通話や文字メッセージや音声メッセージ等の電波を受信したりする。
【００１１】
（３）はベースバンド部であり、ＣＤＭＡ処理回路（３１）と音声コーデック（３２）を有する。ＣＤＭＡ処理回路（３１）は符号分割多元接続、スクランブル、誤り制御、タイミング検出を行う。音声コーデック（３２）は音声を圧縮（符号化）・伸張（復号化）したり、アナログとディジタルの変換を行ったり、内部の増幅回路（図示せず）により受話音量やマイクロホンの感度を変更する。
【００１２】
（４）はハンズフリーでない通常の通話用の受話部（図２の（Ｊ）を参照）に配設されるスピーカ（耳にあてて使用されるスピーカ）であり、増幅回路（５）で増幅されたベースバンド部（３）の電気信号を音声に変換する。また、スピーカ（４）は受話音に重畳された報知音も出力する。（６）は通話に使用されるマイクロホンであり、音声を電気信号に変換する。（７）は増幅回路であり、マイクロホン（６）の出力を増幅してベースバンド部（３）に出力する。（８）は通話やメッセージの着信報知音を出力するスピーカである。また、スピーカ（８）は通話を周囲の人に聞かせるためにも使用され、耳用のスピーカ（４）が配設される受話部（Ｊ）の背面に配設される。このスピーカ（８）は増幅回路（９）で増幅されたベースバンド部（３）の電気信号を音声に変換する。（１０）は接続部であり、カーキット（３０）の外部スピーカ（３０１）と外部マイクロホン（３０２）がケーブル（図２の３０３）を介して接続される。この外部スピーカ（３０１）と外部マイクロホン（３０２）はハンズフリー通話（拡声通話）として使用される。
【００１３】
（１１）は切替回路であり、３つの夫々の増幅回路（５）（７）（９）及び接続部（１０）と、ベースバンド部（３）との接続を後述の制御回路（１２）の制御によりＯＮ／ＯＦＦする。尚、これら３つの増幅回路（５）（７）（９）はゲインを固定しており、受話音量やマイクロホンの感度を変更することはできない。受話音量やマイクロホンの感度の変更は制御回路（１２）の制御によりベースバンド部（３）の音声コーデック（３２）が行う。
【００１４】
（１２）はマイクロプロセッサからなる制御回路であり、動作のプログラムを記憶したＲＯＭ（１３）に基づき各部を制御する。（１４）はＲＡＭであり、制御回路（１２）の動作に必要な情報、例えば、受信した文字メッセージを記憶する。
【００１５】
（１５）は液晶の表示部であり、電話番号や文字メッセージ等を表示する。（１６）はＬＥＤであり、通話の着信を点灯で、メッセージの着信を点滅で報知する。（１７）はイグニッションＯＮ／ＯＦＦ検出手段であり、車両のイグニッションスイッチのＯＮ／ＯＦＦを検出して制御回路（１２）に出力する。
【００１６】
（１８）はリードスイッチやホール素子等の磁気検出部（１８１）を有する載置検出手段である。図２に示す如く、車両には磁石（４０１）を有した載置部（４０）が固定されており、これに携帯電話装置が載置されると、磁石（４０１）に近接した磁気検出部（１８１）が磁気を検出し、載置されたことを示す信号（Ｈｉｇｈ）を載置検出手段（１８）が制御回路（１２）に出力する。
【００１７】
（１９）は入力手段であり、電話番号の入力等を行うテンキー（１９１）と、通話の開始を操作するＳＥＮＤキー（１９２）と、通話の終了を操作するＥＮＤキー（１９３）と、文字や音声のメッセージの着信の確認操作するＭＡＩＬキー（１９４）とを有する。
【００１８】
（２０）は充電式電池からなるＤＣ３．６Ｖの内部電源である。（２１）は外部電源用の接続部であり、ケーブル（図２の３０３）を介して外部電源（５０）（車両のシガレット挿入口）に接続される。外部電源（５０）はＤＣ１２Ｖであり、車両の種類により、イグニッションスイッチがＯＦＦのときＤＣ１２Ｖ電源を供給するものと供給しないものがある。接続部（２１）は１２Ｖの外部電源（５０）を内部電源（２０）の電圧より僅かに高い電圧ＤＣ４．１Ｖに変換し、内部電源と並列に電源を供給するように接続される。（２２）はスイッチであり、並列に接続された内部電源（２０）と外部電源（５０）の装置内への電力供給を制御回路（１２）の制御により断続する。尚、外部電源（５０）が供給されているときは外部電源（５０）により内部電源（２０）が充電される。
【００１９】
本実施例の携帯電話装置では、文字メッセージの内容はＲＡＭ（１４）に記憶され、所定の操作により、リアルタイムで表示部（１５）に表示される。音声メッセージの内容は基地局のボイスメールセンタに記憶され、ボイスメールセンタから携帯電話装置に未発信（未確認）の内容が何件あるかの通知がされる。そして、携帯電話装置の所定の操作により、リアルタイムでボイスメールセンタに記憶されている音声メッセージがスピーカ（４）（８）より発せられる。
【００２０】
次に、本発明の主要な動作を説明する。本発明の主要な動作は、携帯電話装置が載置部（４０）に載置されている状態で、通話やメッセージの着信が重なったときに行われる。図３は制御回路（１２）のこの動作を示すフローチャートである。
【００２１】
制御回路（１２）は携帯電話装置が載置部（４０）に載置されている状態から載置されていない状態に変化したか否かを、載置検出手段（１８）からの信号が“Ｈｉｇｈ”から“Ｌｏｗ”に変化したか否かによって監視している（Ｓ１）。
【００２２】
ステップＳ１で載置されている状態から載置されていない状態に変化した場合、即ち、携帯電話装置が載置部（４０）から取りあげられた場合、まず、制御回路（１２）は通話の着信中か否かを調べる（Ｓ２）。ここで、通話の着信中とは、この着信の報知を行っている期間である。制御回路（１２）は、アンテナ（２）、通信部（１）とベースバンド部（１１）を介して基地局から通話の呼出信号を受信したときに通話の着信の報知を開始させる。携帯電話装置が載置部（４０）に載置されているときの着信の報知はスピーカ（８）の鳴動やメロディ音、表示部（１５）の文字表示、そして、ＬＥＤ（１６）の点灯によって行われる。
【００２３】
ステップＳ２で通話の着信中であると、メッセージの着信中か否かに係わらず、制御回路（１２）は通話の処理を行う（Ｓ３）。通話の処理により、通話の着信の報知が終了される。通話の処理が終了すると、ステップＳ１に戻る。
【００２４】
ステップＳ２で通話の着信中でないと、メッセージ（文字メッセージあるいは音声メッセージ）の着信中か否かを調べる（Ｓ４）。ここで、メッセージの着信中とは、この着信の報知を行っている期間である。制御回路（１２）は、アンテナ（２）、通信部（１）とベースバンド部（１１）を介して基地局からメッセージの着信信号を受信したときにメッセージの着信の報知を開始させる。携帯電話装置が載置部（４０）に載置されているときの着信の報知はスピーカ（８）の鳴動やメロディ音、表示部（１５）の文字表示、そして、ＬＥＤ（１６）の点滅によって行われる。
【００２５】
ステップＳ４でメッセージの着信中であると、メッセージの着信確認処理を行う（Ｓ５）。メッセージの着信確認処理により、メッセージの着信の報知が終了される。メッセージの着信確認処理が終了すると、ステップＳ１に戻る。
【００２６】
ステップＳ４でメッセージの着信中でないと、表示部のバックライトを点灯させる等の処理を行い（Ｓ６）、ステップＳ１に戻る。
【００２７】
上述の動作により、通話のみの着信中に、携帯電話装置が載置部（４０）から取りあげられると、通話の処理が行われる。メッセージのみの着信中に、携帯電話装置が載置部（４０）から取りあげられると、メッセージの着信確認処理が行われる。
【００２８】
そして、通話とメッセージの両方の着信中が同時に生じているとき、携帯電話装置が載置部（４０）から取りあげられると、通話処理のみ行われ、メッセージの着信確認処理は行われない。この通話処理により通話の着信は終了されるが、メッセージの着信確認処理が行われないためにメッセージの着信中は継続している。この状態で、ステップＳ１に戻るために、再び、携帯電話装置が載置部（４０）から取りあげられると、メッセージの着信確認の処理が行われる。
【００２９】
このようにして、携帯電話装置が載置部（４０）から取りあげられるという共通の操作が行われても、通話の処理しか行わない為に、通話の処理後に行われるメッセージの着信報知により、使用者は残るメッセージの確認を見逃すことがない。
【００３０】
また、メッセージの着信確認処理より通話の処理を優先にしている為に、リアルタイムで行うことができない通話をリアルタイムで内容を知ることができるメッセージの確認より先に行うことができる。
【００３１】
尚、携帯電話装置が載置されているか否かに係わらず、また、通話とメッセージの両方の着信中が同時に生じているか否かに係わらず、制御回路（１２）は、通話の着信中にＳＥＮＤキー（１９２）が操作されると通話の処理を行い、メッセージの着信中にＭＡＩＬキー（１９４）が操作されるとメッセージの着信確認処理を行う。これにより、通話とメッセージの両方の着信中が同時に生じたときに、使用者は応答の選択を行うことができる。また、携帯電話装置が載置されていない状態で、一旦載置させなくても、着信に応答することができる。
【００３２】
次に第２の実施例について説明する。第２の実施例のブロック図は第１の実施例のブロック図（図１）と同一である。図４は第２の実施例の制御回路（１２）の動作を示すフローチャートであり、これは第１の実施例の図３のフローチャートのステップＳ４をステップＳ１１とＳ１３に分割し、ステップＳ５をステップＳ１２とＳ１４に分割したものである。従って、図３のフローチャートと同様の動作を行うステップは図３と同一のステップ番号を付けて説明を省略する。
【００３３】
図４に於いて、制御回路（１２）は、ステップＳ２で最優先とした通話が着信中でなければ、次に優先とする音声メッセージが着信中であるか否かを調べる（Ｓ１１）。音声メッセージが着信中であれば（Ｓ１１のＹ）、音声メッセージの着信確認処理を行い（Ｓ１２）、音声メッセージが着信中でなければ（Ｓ１１のＮ）、文字メッセージが着信中であるか否かを調べる（Ｓ１３）。
【００３４】
文字メッセージが着信中であれば（Ｓ１３のＹ）、文字メッセージの着信確認処理を行い（Ｓ１４）、そうでなければステップＳ６を経由してステップＳ１に戻る。
【００３５】
このように、制御回路（１２）は、リアルタイムでない通話を最優先にし、携帯電話装置内にメッセージを記憶させない音声メッセージを次の優先にして、一度の共有操作に対して一つの処理のみを行わせる。
【００３６】
尚、上述の実施例の共有操作は装置を載置部から取りあげるものであったが、本発明はこの操作に限定するものではなく、共有のキーを押す操作でもよく、ヒンジ付きの電話装置を開く操作でもよい。
【００３７】
【発明の効果】
複種類の処理要求に対して同一の操作を行う電話装置に於いて、複種類の処理要求が同時に発生した場合に、使用者が処理を見逃すことがない。
【図面の簡単な説明】
【図１】本発明の実施例の主要な構成を示すブロック図である。
【図２】実施例の携帯電話装置が載置部に載置された状態を示す図である。
【図３】第１の実施例の主要な動作を示すフローチャートである。
【図４】第２の実施例の主要な動作を示すフローチャートである。
【符号の説明】
１  通信部
３  ベースバンド部
４  スピーカ（耳用）
８  スピーカ（背面用、鳴動用）
１２  制御回路
１４  ＲＡＭ
１５  表示部
１６  ＬＥＤ
１８  載置検出手段
３０  カーキット
４０  載置部
【図１】
0003548044.tif 000002
【図２】
0003548044.tif 000003
【図３】
0003548044.tif 000004
【図４】
0003548044.tif 000005